Podtech/llm-jp-corpus-v4-ja_patent huggingface dataset:
(57)【要約】      （修正有）【課題】取外し可能なイ草畳と強固かつ衛生的な木床のそれぞれの特徴を有する取り外し可能な木製の畳を提供する。【解決手段】木製の畳は、表層面に手入れができ衛生的で再利用できる強固な木材１を使用し、側面にクッション材２を取付けることで床に複数設置した場合においても互いに押し合う側面の間に平らな道具などを挿し込み、持ち上げて取り外すことが可能となる。【選択図】図１
0003221415.tif 000002
【実用新案登録請求の範囲】
【請求項１】
イ草畳の表層面にあたる部分に木材（図▲１▼）を使用し強固かつ衛生的であり、側面にクッション材（図▲２▼）を取り付けることで床に複数設置した場合においても互いが押し合う間に平らな道具などを挿し込むことができ、取外しが可能となるイ草畳と木床の特徴を併せ持つ木製の畳。
【考案の詳細な説明】
【技術分野】
【０００１】取外し可能なイ草畳と衛生的で強固な木床の特徴を併せ持つ木製の畳を考案したもの。
【背景技術】
【０００２】イ草畳は、汚れやすいが取り換えが可能。木床は強固で掃除がしやすく衛生的であるが取り換えが困難。対策品として床置き式畳や木製パネル、木調マットなどが存在する。
【先行技術文献】
【特許文献】
【０００３】
【特許文献１】特開平０１−２６０１６６  木製の畳
【特許文献２】実用新案登録第３１０７０９４号  畳付フローリング
【０００４】
【非特許文献１】株式会社ニトリ  商品名：ユニット畳  シンプルノア  ｈｔｔｐｓ：／／ｗｗｗ．ｎｉｔｏｒｉ−ｎｅｔ．ｊｐ／ｓｔｏｒｅ／ｊａ／ｅｃ／ＣａｒｐｅｔＲｕｇＭａｔ／Ｔａｔａｍｉ／ＴａｔａｍｉＵｎｉｔ／５６０７０３１ｓ？ｐｔｒ＝ｉｔｅｍ
【非特許文献２】株式会社  千趣会  商品名：タイルウッドカーペット  ｈｔｔｐｓ：／／ｗｗｗ．ｂｅｌｌｅｍａｉｓｏｎ．ｊｐ／ｅｐ／ｓｒｖｌｔ／ＥＰＦＢ００／ＥＰＦＢ０００５／ｄＰｒｏｄＤｔｌＳｈｏｗ？ＢＥＬＮ＿ＳＨＯＰ＿ＫＢＮ＝１００＆ＫＡＴ＿ＢＴＧＯ＝Ｄ９９３３９＿４４１＿２０１３＿Ｌ＆ＤＭ２＿ＫＢＮ＝ｇｇｌ＿０１４＿０００＿０１１５１＆ＳＨＮＣＲＴＴＫＫＲＯ＿ＫＢＮ＝ＧＰ＆ｇｃｌｉｄ＝ＥＡＩａＩＱｏｂＣｈＭＩｙ−ｚｍｘ７７２３ＱＩＶＥ７ａＷＣｈＯＦＵｇｖｉＥＡｋＹＣＳＡＢＥｇＩｋｅ＿Ｄ＿ＢｗＥ＆ＭＬ＿ＣＨＳ＿ＫＹＵ＿ＫＢＮ＝
【考案の概要】
【考案が解決しようとする課題】
【０００５】浸水などの被害にあった場合、床を取外し床下の泥の除去をしなくてはならない。取外し可能なイ草畳は、泥汚れや湿気によるカビなど再利用が困難。木製フローリングは、強固で衛生的であるが取外しができず床下の泥除去が困難である。取り外し可能であり強固で衛生的な床材が必要である。
【課題を解決するための手段】
【０００６】床材の表層面に強固で再利用できる木材を使用することで、汚れた場合でも濡れた布などで拭き取れて衛生的であり、しかも側面にクッション材を取り付けることで床に複数設置した時に床材どうしが押し合う間に平らな道具などを挿し込むことで持ち上げ、取り外すことができる。
【考案の効果】
【０００７】この木製畳は取り外しが可能な為、水害における床上浸水の回避や被災後の床下の泥の撤去も可能であり、汚れた場合においても洗浄することで衛生的で再利用も可能である。
【図面の簡単な説明】
【０００８】
【図１】斜め上部から見た内部構造図
【図２】床材端部の断面図
【図３】木製畳の平面図
【考案を実施するための形態】
【０００９】以下、添付図面に従って説明する。硬質クッション材などの中材（図▲３▼）に表層面になる木板（図▲１▼）を固定し、その周囲に弾力性のあるクッション材（図▲２▼）を取り付ける。
【実施例】
【００１０】複数の木製畳を床に設置した時に周囲のクッション材が押し合うことで隙間がなくなり、さらにその間に平らな道具などを挿し込み持ち上げることで取り外しが出来た。表層面の木板も濡れた布などで拭き掃除ができ、しっかりとした強度で木床と変わらない効果が得られた。
【産業上の利用可能性】
【００１１】特に水害の恐れがある地域の新築住宅や改装する際の床材として、イ草畳や木製フロールングなどの木床に対する新たな選択肢としてこの木製畳を提案することができる。周囲にクッション材が付いているのでプレイマットなど単体として使用することもできる。
【符号の説明】
【００１２】  ▲１▼木板
▲２▼弾力性のあるクッション材
▲３▼硬質クッション材
【図１】
0003221415.tif 000003
【図２】
0003221415.tif 000004
【図３】
0003221415.tif 000005
【手続補正書】
【提出日】平成31年2月20日(2019.2.20)
【手続補正１】
【補正対象書類名】実用新案登録請求の範囲
【補正対象項目名】全文
【補正方法】変更
【補正の内容】
【実用新案登録請求の範囲】
【請求項１】
木製の畳であって、畳の表層面にあたる部分に木材が使用され、前記木製の畳の側面にクッション材が取り付けられており、床に隙間なく複数はめ込まれた状態においても互いが押し合う側面どうしの間に平らな道具などを挿し込み持ち上げることで床から取外すことが可能となる木製の畳。
(57)【要約】      （修正有）【課題】組立作業中の鋼管結合金具合わせ調整中での分解や、穴位置の調整や、後の被覆材固定桟の仮置きが容易になり、ネジ締結の本数も追加がない、コストダウンで重要な作業性のアップに貢献できる桟固定機能付き併設鋼管連結用結合金物を提供する。【解決手段】軽量鉄骨ハウスに被覆材固定用の桟を組付ける場合の併設鋼管構造体用の連結構造部の２つからなる鋼管挟み結合金物であって、長手方向両端に互に篏合するかぎ状の形状とかぎ引掛かり部ｃ、ｄを形成し、長手方向中央部にフック形状の係合部ａと支持突起部ｂを形成し、２つの挟み金物が分担して形成されていることを特徴とする。【選択図】図２
0003221417.tif 000002
【実用新案登録請求の範囲】
【請求項１】
軽量鉄骨ハウスの併設鋼管構造体の連結構造部の２つからなる鋼管挟み結合金物に、鋼管対しての位置決めと、交換への本締めまでの仮組が可能になる金物の両端が互に篏合するかぎ状の形状ｃ．ｄを追加した。
【請求項２】
さらに図１のごとく長さの中央部に、１方の金物がフック状成形ａ部を有し、他方の金物が曲げ突起ｂ部を有する組み合わせで、被覆材固定用桟の仮置き部を成立させる形状を追加した。
【考案の詳細な説明】
【技術分野】
【０００１】    本考案は、小型Ｈ形鋼の曲げ強度の代替としての併設鋼管の構造を有する梁や柱に利用の併設鋼管の連結材を鋼管に結合する金物形状についてである。
【背景技術】
【０００２】    従来から、梁や柱に利用する小型Ｈ形鋼の曲げ強度に近づけるために、併設鋼管構造の内外鋼管に連結するなどの金物を多く配置することで実現しているが、現地での組立において、バラの状態の部品の仮組や位置合わせなどに手間取るなど、バラの状態の部品点数が多く煩雑である。
【考案の概要】
【０００３】  図１は、連結材を鋼管固定する結合金物に、後で必要となる被覆材固定用の桟が取り付く突起と、組立時の取り扱い上、容易には分解しないカギ状の篏合部を、連結材結合部とは反対側に追加したものである。
【考案の効果】
【０００４】  上述のように、突起部とかぎ状篏合部を追加することで、組立作業中の鋼管結合金具合わせ調整中での分解や、穴位置の調整や、後の被覆材固定桟の仮置きが容易になり、ネジ締結の本数も、追加がないという、コストダウンで重要な作業性のアップに貢献できる。
【図面の簡単な説明】
【０００５】
【図１】は本考案で一般な形状例である。
【図２】は、主要部分の拡大図である。ただし、締結穴は省略
【図１】
0003221417.tif 000003
【図２】
0003221417.tif 000004
【手続補正書】
【提出日】平成31年2月19日(2019.2.19)
【手続補正１】
【補正対象書類名】実用新案登録請求の範囲
【補正対象項目名】全文
【補正方法】変更
【補正の内容】
【実用新案登録請求の範囲】
【請求項１】
軽量鉄骨ハウスに被覆材固定用の桟を組付ける場合の併設鋼管構造体用の連結構造部の２つからなる鋼管挟み結合金物で、その長手方向両端が互に篏合するかぎ状の形状とかぎ引掛かり部を形成し、さらに長手方向中央部にフック形状の係合部と支持突起部を２つの挟み金物が分担して形成していることを特徴とした桟固定機能付き併設鋼管連結用結合金物。
(57)【要約】      （修正有）【課題】大切な着物と帯に負担をかけず、美しい着物姿を損なうことなく、小物を収容できる和装用小物入れを提供する。【解決手段】帯により形成された二重太鼓又はお太鼓の内部に収容される和装用小物入れ１であって、左右方向に開口部１１を有し、筒状体に形成され内部に収容部１２を有する本体１０を備え、開口部１１は、本体１０を形成する布の端部が、収納部１２の内側に折り返された返し１１ａを有する。【選択図】図１
0003221462.tif 000002
【実用新案登録請求の範囲】
【請求項１】
帯により形成された二重太鼓又はお太鼓の内部に収容される和装用小物入れであって、左右方向に開口部を有し、筒状体に形成され内部に収容部を有する本体を備え、開口部は、本体を形成する布の端部が、収納部の内側に折り返された返しを有する和装用小物入れ。
【請求項２】
本体の前面に配置され、本体の前面と、本体の前面に上端及び下端が取り付けられた布状体により、左右方向に貫通する筒状体の外収容部を備え、
本体の前面には、布状体の左端及び右端に対応する位置に第1固定部が設けられており、
布状体の左端及び右端には、第1の固定部の任意の位置に着脱自在な第2固定部が設けられており、
本体に取り付けられた布状体の上端と下端との距離は、布状体の上下方向の長さより短い請求項１に記載の和装用小物入れ。
【考案の詳細な説明】
【技術分野】
【０００１】
帯により形成された二重太鼓又はお太鼓の内部に収容される和装用小物入れに関するものである。
【背景技術】
【０００２】
従来、和装をした際に手回り品を携帯して所持するため、着物の帯の部分に取り付けられる和装用の手回り品収容袋であって、上部が開口する袋本体１０と、袋本体１０の上部に、接続部２２を介して取り付けられ、着用された着物６０と帯５０との重なる部分に上方から差し込み可能に設けられた差込部材２０と、袋本体１０の差込部材２０の取り付け位置より下側に、帯締め５２を通すように設けられた帯締め通し部３０とを具備する和装用の手回り品収容袋が提案されている(特許文献１参照)。
【先行技術文献】
【特許文献】
【０００３】
【特許文献１】特開２００６−８１８９７号公報
【考案の概要】
【考案が解決しようとする課題】
【０００４】
しかしながら、特許文献１の収容袋は帯に差し込んで着用するが、帯に負担がかかるとともに、着物姿を損なっている。
そこで本発明は、大切な着物と帯に負担をかけず、美しい着物姿を損なうことなく、小物を収容できる和装用小物入れを提供することを目的とする。
【課題を解決するための手段】
【０００５】
帯により形成された二重太鼓又はお太鼓の内部に収容される和装用小物入れであって、左右方向に開口部を有し、筒状体に形成され内部に収容部を有する本体を備え、開口部は、本体を形成する布の端部が、収納部の内側に折り返された返しを有する和装用小物入れ。
【０００６】
本体の前面に配置され、本体の前面と、本体の前面に上端及び下端が取り付けられた布状体により、左右方向に貫通する筒状体の外収容部を備え、
本体の前面には、布状体の左端及び右端に対応する位置に第1固定部が設けられており、
布状体の左端及び右端には、第1の固定部の任意の位置に着脱自在な第２固定部が設けられており、
本体に取り付けられた布状体の上端と下端との距離は、布状体の上下方向の長さより短い請求項１に記載の和装用小物入れ。
【考案の効果】
【０００７】
本考案によれば、大切な着物と帯に負担かけず、美しい着物姿を損なうことなく小物を収容できる和装用小物入れを提供することができる。
【図面の簡単な説明】
【０００８】
【図１】図１本考案の実施形態に係る和装用小物入れの斜視図である。
【図２】図２は図に示すAA’断面図である。
【図３】図３は和装小物入れ１の使用方法を説明する図である。
【考案を実施するための形態】
【０００９】
本考案の実施形態に係る和装用小物入れ１は、左右方向に開口部１１を有し、筒状体に形成され内部に収容部１２を有する本体１０を備え、開口部１１は、本体１０を形成する布の端部が、収容部１２の内側に折り返された返し１１aを有する。
【００１０】
また、和装用小物入れ１は、本体１０に取り付けられた布状体２１の上端
２１b(図１参照)と下端２１c（図１参照）との距離が布状体２１の上下方向の長さより短い。
【００１１】
これより、図３に示すように（a）に示すオープンな状態から、（b）に示すように、第２固定部２１aを第１固定部１０ｂの下方側に固定すると外収容部２０の厚みが薄くなり、（c）に示すように、第２固定部２１aを第１固定部１０ｂの上方側に固定すると外収容部２０の中央部分にふくらみをもたせることが可能となる。
【００１２】
吊り紐３０は、本体１０の上部の左右端から、それぞれ延びる紐状体である。和装用小物入れ１をお太鼓等の内部に収容した状態で、吊り紐３０を前で結び、胸元において着物と帯の間に押し込む。
【符号の説明】
【００１３】
１    和装用小物入れ
１０    本体
１０ａ  前面側
１０ｂ  第１固定部
１１    開口部
１１ａ  １１ａ返し
１２    収容部
２０    外収容部
２１    布状体
２１ａ  第２固定部
２１ｂ  上端
２１ｃ  下端
３０    吊り紐
【図１】
0003221462.tif 000003
【図２】
0003221462.tif 000004
【図３】
0003221462.tif 000005
(57)【要約】【課題】本来ヘアアイロンはストレートヘアか巻き髪かという目的の違いによって形状が異なる。その為、ストレートヘアと巻き髪という両方のニーズに応え、用途によって複数購入したり持ち変える手間を省いたヘアアイロンを提供する。【解決手段】片側は内部のみにヒーターを備えたストレートヘア用のヘアアイロンの形状を取り、もう片側は全面ヒーターという巻き髪用のヘアアイロンの形状を取る挟持体を用いた。また、使用者が火傷をするリスクを下げる為に、ストレートヘア目的では不要になるヒーター部分にプラスチックカバーを付けられる構造にした。【選択図】図１
0003221561.tif 000002
【実用新案登録請求の範囲】
【請求項１】
片側は内側のみにヒーターを備え、もう片側は全面ヒーターになっている挟持体を用いたストレートヘアと巻き髪両方に対応するヘアアイロン。
【請求項２】
ヘアブラシを具備している為、ストレートヘアにする時など、別で櫛を用意したり両手を使う必要の無いヘアアイロン。
【請求項３】
ヒーター部分にカバーを取り付けることができ、ストレートヘアにする際に不要である、ヒーター部分とに直接触れることが防止された安全性も高いヘアアイロン。
【考案の詳細な説明】
【技術分野】
【０００１】
本考案はヘアスタイリング装置に関するものであって、特にブラシ付き電気ヘアアイロンに関するものである。
【背景技術】
【０００２】
電気ヒーターを備えたヘアアイロンには毛髪の癖を取りストレートヘアにするものと、髪の毛に癖をつけてパーマをかけたような巻き髪にするものとがある。前者はブラシと併用したり、ブラシにヒーター機能を付けたブラシ型の物がある。
【０００３】
一方、巻き髪用はシンプルなヒーターのみの挟持体を備えた物になっている。
【０００４】
双方とも、ヒーターの熱で毛髪に作用をもたらす点は同じである。
【考案の概要】
【考案が解決しようとする課題】
【０００５】
本来、使用者は癖の強い髪質であれば、ストレートヘア用、巻き髪を作りたい場合は巻き髪用というように目的に合わせて購入、使用するヘアアイロンを選択していた。
【０００６】
しかしながら、使用者によっては目的は一つとは限らない場合がある。通勤や通学の際はストレートヘアにして、休日に出かける際はお洒落として毛髪を巻くというように場面に合わせて使い分ける例がある。母子、姉妹、友人で使用目的が異なるケースもある。  
【０００７】
また、ストレートヘアにする際はヘアアイロンとブラシを併用して使う場合もある。そうすると、片手にヘアアイロン、もう片手にブラシというように両手が塞がり非常に不便である。
【０００８】
以上の様な課題を踏まえ、本考案は用途に合わせて複数用意する必要が無く１種で全ての用途が済ませられ、両手が塞がることの無いヘアアイロンを提供する事を目的とする。
【課題を解決するための手段】
【０００９】
本考案にかかるヘアアイロンは挟持体を備える形状を取り、その片側にブラシを取り付けた。
【００１０】
その為、挟持体に毛髪を挟み込み、頭頂部から毛先に向かってヘアアイロンを滑らせるとストレートヘアになる。
【００１１】
挟持体の片側一部はブラシである為、櫛と併用する必要もない。
【００１２】
巻き髪にしたい時は同じく、挟持体に毛髪を挟み込んで本体を回転させながら巻き込んでいけば癖が付けられる。
【００１３】
ストレートヘアにする時は挟んで滑らせるのみなので、片面のヒーターは不要になる。その際は、プレスチックのケースを取り付けられるようになっており、使用しないヒーターでの火傷等を防ぐことができる。
【００１４】
以上から、ストレートヘアと巻き髪の両者に対応し、使用者の手間を省いたヘアアイロンの提供を可能にした。
【図面の簡単な説明】
【００１５】
【図１】本考案の全体図を示す図である。
【図２】本考案のカバーが付いた状態の全体図を示す図である。
【考案を実施するための形態】
【００１６】
本考案のヘアアイロンのヒーター部分を十分に温めた後、挟持体に髪を挟み込む。その状態でストレートにしたい場合はそのまま髪を滑らせ、髪を巻きたい場合は挟み込んだ状態で、本体を回転させながら巻き込んでいく。
【図１】
0003221561.tif 000003
【図２】
0003221561.tif 000004
【手続補正書】
【提出日】平成31年3月26日(2019.3.26)
【手続補正１】
【補正対象書類名】実用新案登録請求の範囲
【補正対象項目名】全文
【補正方法】変更
【補正の内容】
【実用新案登録請求の範囲】
【請求項１】
片側は内側のみにヒーターを備え、もう片側は全面ヒーターになっている挟持体を用いたストレートヘアと巻き髪両方に対応するヘアアイロン。
【請求項２】
ヘアブラシを具備している為、ストレートヘアにする時など、別で櫛を用意したり両手を使う必要の無いことを特徴とする請求項１に記載のヘアアイロン。
【請求項３】
ヒーター部分にカバーを取り付けることができ、ストレートヘアにする際に不要であるヒーター部分に直接触れるのを防止したことを特徴とする請求項１に記載のヘアアイロン。
(57)【要約】      （修正有）【課題】コンクリート表面に生じる気泡痕を効果的に防ぐためのコンクリート気泡除去具を提供する。【解決手段】長尺の棒体からなる取手部２と、前記取手部に固定する爪部３と、からなり、前記爪部は、前記取手部に固定する固定部と、前記固定部に一方の端部を固定し、前記取手部の端部方向に向けて略放射状に固定する複数本の爪と、からなる。【選択図】図１
0003221518.tif 000002
【実用新案登録請求の範囲】
【請求項１】
長尺の棒体からなる取手部と、
前記取手部に固定する爪部と、からなり、
前記爪部は、
前記取手部に固定する固定部と、
前記固定部に一方の端部を固定し、前記取手部の端部方向に向けて略放射状に固定する複数本の爪と、からなる、
コンクリート気泡除去具。
【請求項２】
請求項１に記載のコンクリート気泡除去具において、前記爪は線材からなり、前記線材の他方の端部は折曲してＬ字状に形成することを特徴とする、コンクリート気泡除去具。
【考案の詳細な説明】
【技術分野】
【０００１】
本考案は、コンクリート打設の際にコンクリートを攪拌し表面に生じる気泡の残留を防ぐ、コンクリート気泡除去具に関するものである。
【背景技術】
【０００２】
異形消波ブロックや重力式擁壁など、勾配のついた型枠内にコンクリートを打設して構築するコンクリート構造物が多数用いられている。
これらを構築する際、型枠内に打設されたコンクリートはバイブレータによって締め固めて硬化される。
【考案の概要】
【考案が解決しようとする課題】
【０００３】
コンクリートには通常３〜６％の空気が含まれている。
このため、バイブレータで締め固めてそのまま硬化させた場合には、コンクリート中に残留する気泡によって、脱枠したコンクリート表面に無数の気泡痕が発生するおそれがある。
このため、バイブレータで締め固めた後に、厚さ１ｍｍ、幅１００ｍｍ、長さ１ｍの平鋼等により型枠側のコンクリートを攪拌し気泡を除去していたが、完全に取り除くことはできていない。また、平鋼による攪拌時に、型枠に傷がつくおそれがある。
また、気泡跡が発生した場合、脱枠後に、さらに左官作業を入れてコンクリート表面の気泡痕を塗りつぶす必要がある。
【０００４】
以上のような問題点に鑑み、本考案はコンクリート表面に生じる気泡痕を効果的に防ぐためのコンクリート気泡除去具を提供することを目的とする。
【課題を解決するための手段】
【０００５】
本願の第一考案は、長尺の棒体からなる取手部と、前記取手部に固定する爪部と、からなり、前記爪部は、前記取手部に固定する固定部と、前記固定部に一方の端部を固定し、前記取手部の端部方向に向けて略放射状に固定する複数本の爪と、からなる、コンクリート気泡除去具を提供する。
本願の第二考案は、第一考案のコンクリート気泡除去具において、前記爪は線材からなり、前記線材の他方の端部は折曲してＬ字状に形成することを特徴とする、コンクリート気泡除去具を提供する。
【考案の効果】
【０００６】
本考案のコンクリート気泡除去具は、次のような効果を得ることができる。
（１）略放射状に広がった爪部により、コンクリート内の気泡を除去するとともに、残った気泡を押し潰して消すことができ、気泡痕の発生を効率的に防ぐ。
（２）型枠撤去後の左官作業による手直しが不要となる。
（３）線材の端部を折曲してＬ字状に形成しているため、型枠に傷がつかない。
【図面の簡単な説明】
【０００７】
【図１】本考案のコンクリート気泡除去具の斜視図
【図２】本考案のコンクリート気泡除去具の使用状態の説明図
【図３】その他の実施例に係るコンクリート気泡除去具の斜視図
【考案を実施するための形態】
【０００８】
以下図面を参照にしながら本考案の好適な実施の形態を詳細に説明する。
【実施例】
【０００９】
＜１＞基本的構成
本考案のコンクリート気泡除去具１は、取手部２と、爪部３と、からなる（図１）。
【００１０】
＜２＞取手部２
取手部２は、長尺の棒体からなる。
取手部２は、コンクリート気泡除去具１を使用する際に取っ手となる部分であり、適宜持ち手２１等を設けてもよい。
【００１１】
＜３＞爪部３
爪部３は、取手部２の一方の端部に設ける部材である。
爪部３は、取手部２に固定する留め具３１と、留め具３１から略放射状に、取手部２から延出するように立設する複数本のＬ字爪３２と、からなる。
Ｌ字爪３２は鋼線等の線材をＬ字状に折曲して形成する。Ｌ字爪３２の直径は３ｍｍとする。
Ｌ字爪３２は、折曲した先端が取手部２の軸方向に対して垂直な面に、先端が直線上に収まるように、各々長さを変えて立設する。
【００１２】
＜４＞作用
次に、本考案のコンクリート気泡除去具１使用時の作用について説明する（図２）。
コンクリート４をバイブレータによって締め固めた後、コンクリート気泡除去具１の取手部２を持った状態で、爪部３側からコンクリート４内に沈める。
そして、爪部３のＬ字爪３２の先端を型枠５の内壁に接触させて、コンクリート気泡除去具１を上下に動かすことにより、Ｌ字爪３２の先端の水平部分で、コンクリート４を攪拌しながら内部の気泡Ａを捕捉する。捕捉された気泡Ａは、爪部３の上下動に合わせて上下に移動し、コンクリート４から掻き出される。
【００１３】
爪部３の先端はＬ字状に形成してある。このため、爪部３の先端の水平部分は、コンクリート気泡除去具１の移動方向に直交する方向に位置し、コンクリート４内の気泡Ａをより多く補足することができる。
また、爪部３の先端はＬ字状に形成してあり、先端の型枠５への密着の強度を制御できるため、爪部３が型枠５に傷をつけることがない。
【００１４】
本考案のコンクリート気泡除去具１によって気泡がなくなることにより、気泡痕の発生が防がれ、型枠５撤去後の左官作業による手直しが不要となる。
【００１５】
［その他の実施例］
上記実施例において、Ｌ字爪３２は、折曲した先端が直線上に収まるように形成したが、先端が円弧状を呈するように形成してもよい（図３）。
例えば異形消波ブロックの場合、型枠５の内面が円弧状を呈している。
Ｌ字爪３２の先端を円弧状を呈するように形成することにより、型枠５の内面に沿って動かすことができ、効率的に気泡を除去することができる。
【符号の説明】
【００１６】
１      コンクリート気泡除去具
２      取手部
２１    持ち手
３      爪部
３１    留め具
３２    Ｌ字爪
４      コンクリート
５      型枠
【図１】
0003221518.tif 000003
【図２】
0003221518.tif 000004
【図３】
0003221518.tif 000005
(57)【要約】      （修正有）【課題】高齢者であることを知らせるバッジ又はワッペンを提供する。【解決手段】物品の形状は四角い平板状のものであり、構造はおもてはメッセージを表示し、裏は中央に安全ピン５を固定し、上部にはバネ１の力でプラスチック製の長方形の動くクリップ２をつねに持ち上げる状態にし、物をはさむ時にクリップ２が開くようになり、物をはさめる様になっている。【選択図】図２
0003221538.tif 000002
【実用新案登録請求の範囲】
【請求項１】
高齢者が、高齢者であることを明示または暗示するための表示を目的とするバッジ。又はワッペン。
【請求項２】
高齢者がどこでも楽に取り付けられ、クリップの大きいものを付けているので簡単にはずれないという特徴を持ったバッジ又はワッペン。
【考案の詳細な説明】
【考案の概要】
【０００１】  この考案は、高齢者が、高齢者であることを明示または暗示するための、胸などに付けるバッジなどである。
【０００２】  従来、クリップで止める名札などではクリップが小さくて衝撃を加えるとすぐにはずれてしまうという物であった。しかし本考案はクリップをはばの大きい物にする事ではずれにくくなっているのである。また、この考案のクリップだと胸のポケットだけでなく、手持ちのバッグやリュックサックのポケットなどにクリップをはさむ事によってディスプレイできるのである。
【電車内等での利用分野】
【０００３】  従来、電車等のシルバーシートでは、高齢者の見分けが出来ず若く見える高齢者に席をゆずる判断が出来ず、お叱りを受けることがたびたびあった。この考案は若く見える高齢者でもバッジなどによって高齢者と認識し、席をゆずってもらいやすくなるための物である。
また、シルバーシートでなくても着席できるので高齢化社会においても役立つものである。
【流通方法の例】
【０００４】  百円均一、デパート、コンビニエンスストア等の販売。この考案は、低価格で作るのが可能なので、高齢者に優しく購入しやすいので喜ばれる。
【形状の例】
【０００５】  １、バッジ。安全ピンでとめる。
２、名札型。クリップでポケットにとめる。
【図面の簡単な説明】
【０００６】
【図１】文字と絵を使用したデサインの例。
【図２】裏面の大型クリップと安全ピンの位置  横から見た図
【符号の説明】
【０００７】  １、バネ  ２、大型クリップ  ３、クリップを止めるピン
４、安全ピンのおさえ  ５、安全ピン
【図１】
0003221538.tif 000003
【図２】
0003221538.tif 000004
【手続補正書】
【提出日】平成30年12月20日(2018.12.20)
【手続補正１】
【補正対象書類名】実用新案登録請求の範囲
【補正対象項目名】全文
【補正方法】変更
【補正の内容】
【実用新案登録請求の範囲】
【請求項１】
物品の形状は四角い平板状のものであり、構造はおもてはメッセージを表示し裏は中央に安全ピンを固定し、上部にはバネの力でプラスチック製の長方形の動くクリップをつねに持ち上げる状態にし、物をはさむ時にクリップが開くようになり、物をはさめる様になっているバッジ又はワッペン。
【請求項２】
前記構造のバネの部分はクリップを持ち上げる為のコイル式バネを２〜５個ぐらいをクリップの上部に接着しクリップの下部分で物をはさむ様になっている。
【手続補正書】
【提出日】平成31年3月5日(2019.3.5)
【手続補正１】
【補正対象書類名】実用新案登録請求の範囲
【補正対象項目名】全文
【補正方法】変更
【補正の内容】
【実用新案登録請求の範囲】
【請求項１】
物品の形状は四角い平板状のものであり、構造はおもてはメッセージを表示し裏は中央に安全ピンを固定し、上部にはバネの力でプラスチック製の長方形の動くクリップをつねに持ち上げる状態にし、物をはさむ時にクリップが開くようになり、物をはさめる様になっているバッジ又はワッペン。
【請求項２】
前記構造のバネの部分はクリップを持ち上げる為のコイル式バネを２〜５個をクリップの上部に接着しクリップの下部分で物をはさめる事を特徴とする請求項１に記載のバッジ又はワッペン。
(57)【要約】      （修正有）【課題】左、右どちらの方向から風が吹いてものぼり旗の表示が逆になることがなく見えるのぼり旗を提供する。【解決手段】１対の旗９、１０より構成する１方の旗９は左に取付用のフック１〜５が設けられ、他方の旗１０はその右に取付用フック１３〜１７を設けられており、それぞれののぼり旗取付用棒１１に取り付けられる。【選択図】図１
0003221555.tif 000002
【実用新案登録請求の範囲】
【請求項１】
１対の旗より構成する１方の旗は左に取付用のフックが設けられ、他方の旗はその右に取付用フックを設けられておりそれぞれののぼり旗は旗棒に取り付けられることを特徴とするのぼり旗
【請求項２】
前記の１対ののぼり旗を複数組設置する事を特徴とする請求項１記載ののぼり旗。
【考案の詳細な説明】
【技術分野】
【０００１】この考案は旗と旗棒に取付する時色違いのフック（左、右）のためグループ別に用意できる、設置する場所も楽である。
【背景技術】
【０００２】従来の旗では１方向であるために風等の影響で文字等が逆になる場合は本来の効果が出にくくなっている。
【考案の概要】
【考案が解決しようとする課題】
【０００３】このような従来の旗では風等の影響で片側はよく見えるがもう１方の裏側ではわかりにくい。【０００４】裏側で良ければ表側では悪い
【課題を解決するための手段】
【０００５】  上記の課題は１対の旗より構成する１方の旗は左に取付用のフックが設けられ他方の旗はその右に取付用フックが設けられておりそれぞれののぼり旗は旗棒に取り付けられることを特徴とするのぼり旗により解決される。
さらに上記の課題は前記ののぼり旗を複数組設置する事を特徴とするのぼり旗により解決される。
この考案では設置場所に１組又は複数組を設置すればどちらからでも見えやすい
【考案の効果】
【０００６】風等の自然影響に左右されない【０００７】旗の組立及び設置は従来どうりで良い
注）左、右は色で分ける
【図面の簡単な説明】
【０００８】
【図１】本考案ののぼり旗のフックの取付位置を示す図
【図２】フックの取付位置の違う９，１０を対にして複数組設置した図
【考案の実施するための形態】
【０００９】  本考案ののぼり旗は一方は図１（Ａ）に示すようにのぼり旗の左側にフックが設けられ他方は図１（Ｂ）に示すようにのぼり旗の右側にフックが設けられる。このようにすることにより左、右どちらの方向から風が吹いてものぼり旗の表示が逆になることがなく見えることができる。
【実施例】
【００１０】  以下図面に従って実施例を説明する。本考案ののぼり旗は図１（Ａ）（Ｂ）に示す一対ののぼり旗を一組として構成する。図１（Ａ）に示すようにのぼり旗９はその左側にフック１〜５が取付られる。旗棒１１に固定されるのぼり旗９の上部フック６〜８には竿１２に取付られる。
図１（Ｂ）にしめるように他方ののぼり旗１０はその右側にフック１３〜１７が取付られる旗棒１１に固定される。
フック１〜５の色とフック１３〜１７の色を違うことが望ましい。
その理由は現場での取付が簡単で解かりやすい。
【符号の説明】
【００１１】１〜５      フック左
６〜８      上部フック
９          のぼり旗
１３〜１７  フック右
１０        のぼり旗
１１        のぼり旗取付用棒
１２        旗棒の上部の竿
【図１】
0003221555.tif 000003
【図２】
0003221555.tif 000004
(57)【要約】      （修正有）【課題】引火性の危険物を取り扱う作業場で安全に防寒具として着用できるネックウォーマーを提供する。【解決手段】ネックウォーマーを静電気帯電防止性能を持つ生地で作成した。頭から被って着用し易いよう円筒の直径を広くし、上部は紐でサイズを調整できるようにした。また前からの風を防ぐ為前部は山型２に長くし、後ろは首から肩に沿い風が入りにくくする為やや浅めにした。【選択図】図１
0003221556.tif 000002
【実用新案登録請求の範囲】
【請求項１】
ＪＩＳ（ＪＩＳ  Ｔ８１１８）の定める静電気帯電防止の基準値をクリアした生地を２枚重ねて円筒状に縫製し、上部にゴム紐を縫い込みサイズを調整できるようにしたネックウォーマー。
【考案の詳細な説明】
【技術分野】
【０００１】本考案はＪＩＳ  Ｔ８１１８の基準値をクリアした静電気帯電防止性能を持つネックウォーマーに関するものである。
【背景技術】
【０００２】  寒冷期、屋外での作業時、防寒具としてネックウォーマーを着用しているが、引火性危険物の荷役や取り扱い時には危険である為、着用できなかった。
【考案の概要】
【考案が解決しようとする課題】冬季、屋外作業では防寒具としてネックウォーマーを着用することが多いが、引火性危険物を取り扱う現場では静電気帯電防止するものでないと着用が認められない為、ネックウォーマーを使用できない
【課題を解決するための手段】他の衣類同様、ネックウォーマーを静電気帯電防止性能を持つ生地を使用して作成する
【考案の効果】引火性の危険物を取り扱う作業場で安全に防寒具としてネックウォーマーが着用できる
【図面の簡単な説明】筒状になっており、頭から被って着用する。上部は紐で首周りのサイズが調節できる。前面は山型に丸くし、後背部は浅く切り込むことで体に沿うようにして、ネックウォーマーと上着の隙間から風が入らないようにした【図１】
【考案を実施するための形態】
静電気帯電防止性能を持つ生地を縫い合わせ円筒状に縫製した。裏側の生地は肌に触れる為、表側より帯電防止性能は低いが、肌触りの良い綿生地を使用した。どちらもＪＩＳ  Ｔ８１１８の基準を満たし、引火性危険物を取り扱い時に着用できる。
【産業上の利用可能性】引火性の危険物を取り扱う作業場で安全に防寒具としてネックウォーマーが着用できる
【符号の説明】１  表生地
２  前部は山型
３  裏生地
４  長さを調節するゴム紐
５  後背部は浅く切り込み
【図１】
0003221556.tif 000003
【図２】
0003221556.tif 000004
【手続補正書】
【提出日】平成31年3月28日(2019.3.28)
【手続補正３】
【補正対象書類名】明細書
【補正対象項目名】全文
【補正方法】変更
【補正の内容】
【考案の詳細な説明】
【技術分野】
【０００１】本考案はＪＩＳ  Ｔ８１１８の基準値をクリアした静電気帯電防止性能を持つネックウォーマーに関するものである。
【背景技術】
【０００２】寒冷期、屋外での作業時、防寒具としてネックウォーマーを着用しているが、引火性危険物の荷役や取り扱い時には危険である為、着用できなかった。
【考案の概要】
【考案が解決しようとする課題】冬期、屋外作業では防寒具としてネックウォーマーを着用することが多いが、引火性危険物を取り扱う現場では静電気帯電防止するものでないと着用が認められない為、ネックウォーマーを使用できない。
【課題を解決するための手段】他の衣類同様、ネックウォーマーを静電気帯電防止性能を持つ生地を使用して作成する。
【考案の効果】引火性の危険物を取り扱う作業場で安全に防寒具としてネックウォーマーが着用できる。
【図面の簡単な説明】
【図１】前面図  円筒状になっており、前面下部は山型に丸く長くしている。
【図２】後背図  上部全周にゴム紐を入れ、首周りのサイズが調節できる。後背部の下部は浅く切り込んでいる。前面を長く後背部を短くすることで体に沿うようにし、ネックウォーマーと上着の隙間から風が入ることを防ぐようにした。
【考案を実施するための形態】
静電気帯電防止性能を持つ生地を縫い合わせ円筒状に縫製した。裏側の生地は肌に触れる為、表側より帯電防止性能は低いが、肌触りの良い綿生地を使用した。どちらもＪＩＳ  Ｔ８１１８の基準を満たし、引火性危険物を取り扱い時に着用できる。
【産業上の利用可能性】引火性の危険物を取り扱う作業場で安全に防寒具としてネックウォーマーが着用できる。
【符号の説明】１  表生地
２  前部は山型
３  裏生地
４  長さを調節するゴム紐
５  後背部は浅く切り込み
(57)【要約】      （修正有）【課題】操作位置を高くすることでオイルやタイヤ交換の作業の向上を図ったオートバイ、スクーターのスタンド台を提供する。【解決手段】長方形の２本の角材１を折りたたんで重ねることができるように切断部を相互に釘板２でつないだ。【選択図】図１
0003221551.tif 000002
【実用新案登録請求の範囲】
【請求項１】
角材２本を接ぐ釘板を特徴とする、オートバイ、スクーターのスタンド台。
【考案の詳細な説明】
【技術分野】
【０００１】  本考案は、オートバイ、スクーターに関するものである。
【背景技術】
【０００２】  オートバイ、スクーターの足の台に関するものは、殆んど無かった。
【考案の開示】
【考案が解決しようとする課題】
【０００３】  オートバイ、スクーターの足の下に台を置き、オイル、タイヤ交換を安易に行うことができ前途の欠点を解決している。
【課題を解決するための手段】
【０００４】  角材を２本づつ２つ用意し、それぞれに釘板を付け容易にオートバイ、スクーターの足を高くし、問題点を解決している。
【考案の効果】
【０００５】  オートバイ、スクーターの足の高さが高くなったことで作業性を向上することができる。
【考案を実施するための最良の形態】
【０００６】  角材の切断面に釘板を付け、折りたたんで高さの調整を行う。
【実施例】
【０００７】  以下、添付図面に従って実施例を説明する。図２のように片足のスタンドを板に置き、図３のようにもう一方のスタンドも板の上に置く。次に始めの板を折りたたんでその板の上にスタンドを置く、次に他方のスタンドも同様にする。【０００８】  本考案の実施例は、上途の如き構成からなるものであり、オートバイ、スクーターの作業の向上に役立つ。
【図面の簡単な説明】
【０００９】
【図１】外観図
【図２】実施例１
【図３】実施例２
【符号の説明】
【００１０】    １  角材
２  釘板
【図１】
0003221551.tif 000003
【図２】
0003221551.tif 000004
【図３】
0003221551.tif 000005
【手続補正書】
【提出日】平成31年3月6日(2019.3.6)
【手続補正１】
【補正対象書類名】実用新案登録請求の範囲
【補正対象項目名】全文
【補正方法】変更
【補正の内容】
【実用新案登録請求の範囲】
【請求項１】
長方形の角材２本を折りたたんでかさねることができるように切断部を相互に釘板でつなぐことを特徴とする、オートバイ、スクーターのスタンド台。
(57)【要約】      （修正有）【課題】前後、左右がなくなり、体を半回転させなくとも、そのままの姿勢で履く事が出来て便利な前後左右のないスリッパを提供する。【解決手段】基礎１の部位と、前記基礎１の部位の左右各辺に底辺がそれぞれ接続され、基礎１の上方においてそれぞれの頂点が互いに連結されている２枚の山形のプレート２とを備え、連結されている部位がハナオ３となる構造を備えた。【選択図】図２
0003221541.tif 000002
【実用新案登録請求の範囲】
【請求項１】
スリッパのシートなど基礎の部位に左右及び前後に山形のプレートが設けられておりその中央部が連結されており、連結された部位がハナオとなるような構造を特徴とする、前後左右の無いスリッパ。
【請求項２】
請求項１と全く同様なスリッパに、プレートがかかと迄延長された事を特徴とする、前後左右の無いスリッパ。
【考案の詳細な説明】
【技術分野】
【０１】本考案はスリッパに関し、履いたり脱いだりする時の安全と速度に関する。【０２】従来スリッパは片方からしか履けない構造であり、スリッパを履いたり脱いだりする時は、体を半回転して使用するが、その頻度が多い時はその数秒でも面度くさかったり、スッポ抜けたり料理等を運ぶときは、危険さえ伴うこともある。
【課題を解決する手段】
【０３】それ等を解消するにはスリッパに前後が無い方が便利せある。
【０４】本考案ではスリッパの前後・左右を無くし、スリッパの両方から履ける構造である、以下図面と共に具体的に申し上げます。
【考案１】
【０５】ビニールや合成樹脂などでつくられた細長い楕円形のシートが設けてあり
【０６】前記シートの両サイドには上記同様の素材で指やかかどがはみ出さないように山形のプレートが前部より後部にわたって設けてある
【０７】前記山形のプレートは中央部にいくほど高くなるように施してある
【０８】前記プレートの中央部位は左右連結されている
【０９】前記連結された部位がハナオとなり、スリッパとなる
【１０】前記スリッパには上敷きと底敷きが固着されてある
【１１】この様に形成された前記スリッパは前後・左右がなくなり、前記スリッパを履いたり脱いだりするときは、体を半回転させなくとも、そのままの姿勢で前記スリッパを履く事が出き便利である。
【考案２】
【１２】考案１と全く同様な形態の前記スリッパに、前後ともに前記プレートがかかとまで接続されてある。
【１３】この事により、前記スリッパの脱落が防止できる。
【１４】効果は考案１と同様である。
【図面の簡単な説明】
【１５】
【図１】は考案１の側面図
【図２】は考案１の上面図
【図３】は考案２の側面図
【符号の説明】
【１６】１‥‥シート２‥‥山形のプレート３‥‥ハナオ４‥‥上敷き５‥‥下敷き
【図１】
0003221541.tif 000003
【図２】
0003221541.tif 000004
【図３】
0003221541.tif 000005
【手続補正書】
【提出日】平成31年2月12日(2019.2.12)
【手続補正１】
【補正対象書類名】実用新案登録請求の範囲
【補正対象項目名】全文
【補正方法】変更
【補正の内容】
【実用新案登録請求の範囲】
【請求項１】
基礎の部位と、前記基礎の部位の左右各辺に底辺がそれぞれ接続され、前記基礎の上方においてそれぞれの頂点が互いに連結されている２枚の山形のプレートとを備え、前記連結されている部位がハナオとなる構造を備えたことを特徴とする、前後左右のないスリッパ。
【請求項２】
プレートがかかと迄延長された事を特徴とする、請求項１に記載の前後左右のないスリッパ。
(57)【要約】      （修正有）【課題】鍋蓋裏に付いた水滴を直接鍋内に流すことが出来、調理台等が汚れたり、直接調理台等に蓋を置くことで不衛生さと調理台が狭くなり、片手で鍋蓋を持ちながら料理する煩わしさを無くすことができる鍋蓋固定具と鍋蓋を提供する。【解決手段】鍋蓋固定具は、鍋蓋のつまみ台に挟んで固定するクリップ状の器具３と、器具に着脱可能であり、鍋の淵および側部に係合する係合部を有し、係合部を鍋の淵および側部に引掛けたときに鍋蓋の下側の淵を鍋底の上方に位置する引掛け具６と、を有する。鍋蓋が鍋に縦型に固定され、蓋裏に付いた水滴が鍋内へ流れるため、調理台等を汚さない、衛生的であり両手が使えるようになるため料理の煩わしさを解消させる。またクリップ状器具と引掛け具は着脱、分割が容易に出来るので洗浄や収納にも困らない。【選択図】図３
0003221543.tif 000002
【実用新案登録請求の範囲】
【請求項１】
鍋蓋のつまみ台にクリップ状の器具を挟んで固定し、器具に着脱可能な引掛け具を装着して鍋の淵に引掛けて固定することで、鍋蓋裏の水滴が鍋内に流れ落ちる、つまみ台に装着した器具の引掛け具を三点で支える事によって掛けた鍋蓋が安定することが特徴とする鍋蓋固定具。
【請求項２】
装着装置の付いた成形具のつまみ台に脱着可能な引掛け具を装着し、鍋の淵に引掛けて固定することで、鍋蓋裏の水滴が鍋内に流れ落ちる、つまみ台に引掛け具が着脱できる装置の成形具を特徴とする鍋蓋固定具。
【請求項３】
鍋蓋に直付けされた装着装置部に脱着可能な引掛け具を装着し、鍋の淵に引掛け具を固定することで、鍋蓋裏の水滴が鍋内に流れ落ちる、鍋蓋に引掛け具が着脱できる装置具を直付けした構造が特徴とする固定具付鍋蓋及び鍋蓋固定具。
【考案の詳細な説明】
【技術分野】
【０００１】  本考案は、鍋の蓋裏面に付着した水滴をこぼさず鍋内に戻し、蓋裏の水滴で調理台を汚さないものである。
【背景技術】
【０００２】  今までの鍋蓋置きは鍋蓋自体に立て掛け具が取付けてあり、鍋で調理をして鍋蓋を直接調理台等に立てる方式はあったが、これでは調理台に鍋蓋裏面に付いた水滴で調理台等を汚したり、直接調理台等に置くため不衛生である上、鍋蓋を置く分調理台の場所を取ってしまっていた。
本考案は鍋自体に鍋蓋を直接縦型に装着することにより、鍋蓋裏の水滴が鍋内に流れるため、調理台等を汚すことはなくなり、衛生さを保て、調理台の場所を取ることもなく衛生的及び調理台等を汚さないために片手で鍋蓋を持ち続けることで調理がし難かった。また、鍋蓋を調理台等に置かないため、調理台等を広く使うことが出来る。
【考案の概要】
【考案が解決しようとする課題】
【０００３】  鍋から鍋蓋を外した際に調理台等に直接置くか、片手で持ちながら鍋内の料理を取り出すため、直接調理台等に鍋蓋を置くと鍋蓋裏に付いた水滴で調理台等が汚れたり、不衛生であったり、片手が塞がったりする鍋蓋に関する欠点を解決しようとするものである。
【考案の効果】
【０００４】  本考案の器具を使用することにより、鍋蓋裏の水滴が直接鍋内に流れ落ちるため、調理台等を汚すことがなくなり、衛生的な上、片手で鍋蓋を持つ煩わしさがなくなり、調理のし易さが向上する。装着・着脱・分割が容易なので洗浄や収納にも困らない。
【図面の簡単な説明】
【０００５】
【図１】本考案による鍋蓋引掛け具クリップ型取付け実施例の平面図である。
【図２】本考案による鍋蓋引掛け具クリップ型取付け実施例の側面図である。
【図３】本考案による鍋蓋引掛け具クリップ型取付け装着の実施例図である。
【図４】本考案による鍋蓋のつまみ台に着脱装置付き成形具の平面図である。
【図５】本考案による鍋蓋のつまみ台に着脱装置付き成形具の側面図である。
【図６】本考案による鍋蓋に着脱装置直付けの平面図である。
【図７】本考案による鍋蓋に着脱装置直付けの側面図である。
【図８】本考案による鍋蓋に着脱装置直付けの装着実施例図である。
【考案を実施するための形態】
【０００６】  本器具を鍋蓋に装着することで鍋自体に縦型に装着することが出来る、鍋蓋の裏に付着した水滴をこぼさずに鍋内に戻すことが出来るので、調理台等を汚さない効果があり、鍋蓋を直接調理台に置かないので衛生的で、尚且つ両手が空くため調理がし易くなる。また本考案器具は簡単に装着・着脱が出来るためコンパクトに収納が出来る。
【課題を解決するための手段】
【０００７】  図１、３のクリップ型装着具を鍋蓋２のつまみの部分に挟み、６の引掛け具を鍋の淵に装着することで鍋蓋が図３の様な形態で鍋に縦型に固定され、水滴が鍋内に流れる。３と６は容易に着脱できる。
【０００８】  図４、８の鍋蓋のつまみ台に装着された９の引掛け具を鍋の淵に装着することで図８の様な形態で鍋に縦型に固定され、水滴が鍋内に流れる。８と９は容易に着脱できる。
【０００９】  図６、１０は、あらかじめ鍋蓋に直付けされた装着具で９の引掛け具を鍋の淵に装着することで鍋蓋が図８の様な形態で鍋に縦型に固定され、水滴が鍋内に流れる。１０と９は容易に着脱できる。
【符号の説明】
【００１０】１  蓋
２  つまみ
３  クリップ型装着具
４  クリップ軸
５  スプリング
６  クリップ型引掛け具
７  鍋
８  つまみ台装着付き成形具
９  つまみ台引掛け具
１０  鍋蓋直付け装着具
【図１】
0003221543.tif 000003
【図２】
0003221543.tif 000004
【図３】
0003221543.tif 000005
【図４】
0003221543.tif 000006
【図５】
0003221543.tif 000007
【図６】
0003221543.tif 000008
【図７】
0003221543.tif 000009
【図８】
0003221543.tif 000010
【手続補正書】
【提出日】平成31年2月6日(2019.2.6)
【手続補正１】
【補正対象書類名】実用新案登録請求の範囲
【補正対象項目名】全文
【補正方法】変更
【補正の内容】
【実用新案登録請求の範囲】
【請求項１】
鍋蓋のつまみ台に挟んで固定するクリップ状の器具と、
前記器具に着脱可能であり、鍋の淵および側部に係合する係合部を有し、前記係合部が前記鍋の淵および側部に引掛けたときに鍋蓋の下側の淵を鍋底の上方に位置する引掛け具と、
を有することを特徴とする鍋蓋固定具。
【請求項２】
鍋蓋のつまみに前記つまみと一体的に成形された成形具と、
前記成形具に着脱可能であり、鍋の淵および側部に係合する係合部を有し、前記係合部が前記鍋の淵および側部に引掛けたときに鍋蓋の下側の淵を鍋底の上方に位置する引掛け具と、
を有することを特徴とする鍋蓋固定具。
【請求項３】
鍋蓋に直付けされた装着部と、
前記装着部に着脱可能であり、鍋の淵および側部に係合する係合部を有し、前記係合部が前記鍋の淵および側部に引掛けたときに鍋蓋の下側の淵を鍋底の上方に位置する引掛け具と、
を有することを特徴とする鍋蓋固定具。
【請求項４】
鍋蓋と、
前記鍋蓋に直付けされた装着部と、
前記装着部に着脱可能であり、鍋の淵および側部に係合する係合部を有し、前記係合部が前記鍋の淵および側部に引掛けたときに鍋蓋の下側の淵を鍋底の上方に位置する引掛け具と、
を有することを特徴とする固定具付鍋蓋。
(57)【要約】【課題】本考案はベルトに防水・撥水・軽量・伸縮の機能を設ける。【解決手段】本考案は防水レザー４とＥＶＡ５の二種のみの材料を使用する事で、素材の防水・軽量・伸縮・厚さの特徴を生かし、防水・撥水・軽量・伸縮ＮＯの機能を兼ね備えたベルトを作成出来る。【選択図】図２
0003221542.tif 000002
【実用新案登録請求の範囲】
【請求項１】
防水・撥水・軽量・伸縮の４つの機能を兼ね備えたベルト
【考案の詳細な説明】
【技術分野】
【０００１】  本考案は、防水レザーとＥＶＡを使用した、ベルトに関するものである。
【背景技術】
【０００２】  ベルトを製作する際、レザー・芯材・裏材と３種以上の材料が必要だった。
【考案の概要】
【考案が解決しようとする課題】
【０００３】  一般のレザーは水に弱い為、汗や雨で品質が劣化する可能性が高かった。また材料による重みの為、腰への負担があった。
【課題を解決するための手段】
【０００４】  水に強い防水レザーと、水に強く厚みと伸縮性があるＥＶＡの２種の材料のみででベルトを作成することにより、防水・撥水・軽量・伸縮性の問題を解決している。
【図面の簡単な説明】
【０００５】
【図１】従来のベルトの一般的な断面図である。
【図２】本ベルトの断面図である。
【考案を実施するための形態】
【０００６】  従来のベルトは各素材の厚みが薄い為、１表レザー・２中芯・３裏レザーの、少なくとも三種類の素材で作成されていた。本ベルトは４防水レザー・５ＥＶＡのそれぞれに厚みがあるため、二素材のみでベルトを作成する事が出来る。
【符号の説明】
【０００７】  １  従来ベルト  表レザー  ２  従来ベルト  中芯  ３  従来ベルト  裏レザー  ４  本ベルト  表防水レザー  ５  本ベルト  裏ＥＶＡ
【図１】
0003221542.tif 000003
【図２】
0003221542.tif 000004
【手続補正書】
【提出日】平成31年3月11日(2019.3.11)
【手続補正１】
【補正対象書類名】実用新案登録請求の範囲
【補正対象項目名】全文
【補正方法】変更
【補正の内容】
【実用新案登録請求の範囲】
【請求項１】
水に強い防水レザーと、水に強く厚みと伸縮性があるＥＶＡの２種のみの材料を貼り合わせて作成した、防水・撥水・軽量・伸縮性の４つの機能を兼ね備えたベルト